(57)【特許請求の範囲】
【請求項１】
ドア１の一側壁１ａ側の外壁面３から該一側壁に形成した嵌合孔５に筒状ストッパー部材を含む錠構成部品を嵌め込み、一方、ドアの他側壁１ｂに形成した貫通孔６から複数の締付け具２８を嵌入して、前記錠構成部品に前記締付け具を一体的に結合させ、かつ、錠構成部品を前記一側壁の外壁面に圧接するように引き寄せて取付け固定するドアに対する錠構成部品の締付け構造に於いて、前記ドアの他側壁１ｂに、前記錠構成部品（１０，１０Ａ，１０Ｂ）の駆動軸１３用の基準孔２６、前記締付け具２８用の貫通小孔２７及び取付け孔２５を有する垂直の当て板２０をあてがい、該当て板２０には、前記取付け孔２５を介して前記締付け具２８とは別個・独立であってかつ前記ドア１の一側壁１ａと他側壁１ｂとの間隔を調整するための間隔調整用螺合体（３２）及び位置固定用のナット（３３）を含む壁面変形阻止部材（３０）を水平状態に取付け、前記締付け具２８を締付けると、錠構成部品は当て板２０を介して締付け具２８により引っ張られ、前記筒状ストッパー部材（１５、１５Ａ）の端面が前記一側壁１ａ側の外壁面３に当接し、前記壁面変形阻止部材の端面が前記一側壁１ａ側の内壁面４に当たることを特徴とするドアに対する錠構成部品の締付け構造。
【請求項２】
請求項１に於いて、錠構成部品（１０，１０Ａ，１０Ｂ）は、突出頭部側にドア１の一側壁側１ａの外壁面３に圧接するストッパー部材ないしストッパー部（１５，１５Ａ）を有するシリンダー部材であることを特徴とするドアに対する錠構成部品の締付け構造。
【請求項３】
請求項１に於いて、締付け具が錠構成部品１０Ｂをドア１の外壁面３に圧接するように引き寄せる部材であり、該引き寄せる部材（締付け具）は、錠構成部品１０Ｂの後端部に固定された錠構成部品１０Ｂ側の螺杆４０と、この螺杆に螺合する当て板２０側のナット４１とから成ることを特徴とするドアに対する錠構成部品の締付け構造。
【請求項４】
ドア１の一側壁１ａ側の外壁面３から該一側壁に形成した嵌合孔５に筒状ストッパー部材を含む錠構成部品を嵌め込み、一方、ドアの他側壁１ｂに形成した貫通孔６から複数の締付け具２８を嵌入して、前記錠構成部品に前記締付け具を一体的に結合させ、かつ、錠構成部品を前記一側壁の外壁面に圧接するように引き寄せて取付け固定するドアに対する錠構成部品の締付け構造に於いて、前記ドアの他側壁１ｂに、前記錠構成部品１０の駆動軸１３用の基準孔２６、前記締付け具２８用の貫通小孔２７及び水平状態の壁面変形阻止部材３０Ｃを構成する固定螺合体３２Ｃを有する垂直の当て板２０Ｃをあてがい、前記壁面変形阻止部材３０Ｃは、前記締付け具２８とは別個・独立であってかつ前記ドア１の一側壁１ａと他側壁１ｂとの間隔を調整するための前記固定螺合体３２Ｃと該固定螺合体３２Ｃに螺合する位置調整用オネジ３１Ｃとを含み、前記締付け具２８を締付けると、錠構成部品は当て板２０Ｃを介して締付け具２８により引っ張られ、前記筒状ストッパー部材１５の端面が前記一側壁１ａ側の外壁面３に当接し、前記壁面変形阻止部材の端面が前記一側壁１ａ側の内壁面４に当たることを特徴とするドアに対する錠構成部品の締付け構造。
【発明の詳細な説明】
【０００１】
【発明の属する技術分野】
本発明は、ドアに対する錠構成部品の締付け構造に関する。
【０００２】
【従来の技術】
部屋の開閉ドア（建具の一例）に錠構成部品を取付ける際に、ドアがその材質自体により変形する可能性がある場合には、ドアに対する錠構成部品の締付け構造について、工夫することが期待されている。
例えばドアの一側壁側の外壁面から該一側壁に形成した嵌合孔に錠構成部品を嵌め込み、一方、ドアの他側壁に形成した貫通孔から締付け具を嵌入して錠構成部品に締付け具を一体的に結合させ、かつ、前記錠構成部品を一側壁の外壁面に圧接するように引き寄せると、ドアの壁面は錠構成部品側のストッパー部材或いはストッパー部と締付け具の頭部とによってサンドイッチ状態になっているので、ドアの内部方向に局部的な圧力がかかり、壁面が変形（撓む、潰れる）する恐れがある。
【０００３】
【発明が解決しようとする課題】
本発明は、以上のような問題点に鑑み、第１の目的は、錠構成部品を建具の壁面に締付け具を介して固定する時に、仮に建具の外壁面に強い内部方向の力が作用しても壁面が容易に変形（撓む、潰れるなど）しないドアに対する錠構成部品の締付け構造を提供することである。第２の目的は、ドアの内部空間の間隔に対応して錠構成部品を建具の壁面に確実に固定することができることである。第３の目的は、構成する部品点数を少なくし、壁面に簡単に固定することができることである。
【０００４】
【課題を解決するための手段】
本発明のドアに対する錠構成部品の締付け構造は、ドア１の一側壁１ａ側の外壁面３から該一側壁に形成した嵌合孔５に筒状ストッパー部材を含む錠構成部品を嵌め込み、一方、ドアの他側壁１ｂに形成した貫通孔６から複数の締付け具２８を嵌入して、前記錠構成部品に前記締付け具を一体的に結合させ、かつ、錠構成部品を前記一側壁の外壁面に圧接するように引き寄せて取付け固定するドアに対する錠構成部品の締付け構造に於いて、前記ドアの他側壁１ｂに、前記錠構成部品（１０，１０Ａ，１０Ｂ）の駆動軸１３用の基準孔２６、前記締付け具２８用の貫通小孔２７及び取付け孔２５を有する垂直の当て板２０をあてがい、該当て板２０には、前記取付け孔２５を介して前記締付け具２８とは別個・独立であってかつ前記ドア１の一側壁１ａと他側壁１ｂとの間隔を調整するための間隔調整用螺合体（３２）及び位置固定用のナット（３３）を含む壁面変形阻止部材（３０）を水平状態に取付け、前記締付け具２８を締付けると、錠構成部品は当て板２０を介して締付け具２８により引っ張られ、前記筒状ストッパー部材（１５、１５Ａ）の端面が前記一側壁１ａ側の外壁面３に当接し、前記壁面変形阻止部材の端面が前記一側壁１ａ側の内壁面４に当たることを特徴とする。
【０００５】
【発明の実施の形態】
図１乃至図５に基づいて第１実施例を説明する。まず１は建具の一例としてのドア、１ａはドアの一側壁（例えば外壁）、１ｂはドアの他側壁（例えば内壁）、２はドアの内部空間である。ドア１は、例えばアルミニウム製であり、外壁面から局部的に内部空間２方向に圧力が加わると、その箇所が変形（撓む、潰れる）する。なお、ここでは、図１を基準にすると、符号３をドアの外壁面、４をドアの内壁面とする。
【０００６】
しかして、ドア１の両側壁１ａ，１ｂの適宜箇所には、略同径の円形孔が形成されている。本実施例では、ドアの一側壁１ａの円形孔は、後述する錠構成部品用の嵌合孔であり、これに対向する他側壁１ｂの円形孔は螺杆用の貫通孔６である。前記貫通孔６の形状は任意に形成することができるが、本実施例では貫通孔６には上方に指向する垂直切欠部７が連通している。
【０００７】
次に錠構成部品１０について説明する。ここで「錠構成部品」とは、錠前を構成するデットボルト、ラッチボルト、錠内部の係脱機構などを直接又は間接的に作動させるために、ドアの外壁面側からドアに固定される部材をいう。例えばドア１の外壁１ａに固定されるシリンダー部材、ドア１の内壁１ｂに固定されるサムターンが典型例である。本実施例ではシリンダー部材１０を一例に挙げて説明する。シリンダー部材１０は、図１及び図２で示すように、基本的には、外筒体１１と、この外筒体１１内に全部又は一部が入り込んでいるシリンダー本体１２と、このシリンダー本体１２の後端面１２ａから突出し、かつ、図示しないキーの操作により回転する棒ないしバー状の駆動軸１３と、前記外筒体１１に外嵌合するフレーム状のカバー体１４とから成る。
【０００８】
しかして、前記外筒体１１の突出頭部には、テーパ状外壁面と垂直内壁面とを有する鍔部１１ａが周設されている。また外筒体１１には、前記鍔部１１ａに環状外端部１５ａ側が受け止められ、一方、ややラッパ状あるいはスカート状に開放する内端部１５ｂ側がドアの外壁面３に当る筒状ストッパー部材１５が外嵌合している。このストッパー部材１５は、本実施例では外筒体１１と別体であり、外筒体１１の外周壁とカバー部材１４の内周壁の間にスライド可能に介在している。
【０００９】
さらに、外筒体１１の後端面には、軸方向に複数個のメネジ１６が形成されている。これらのメネジ１６は、本実施例では後述する当て板の締付け具用貫通小孔と対応しているので、「合計２個」対角線方向に配設されている。
【００１０】
次に２０は、本実施例では、他側壁１ｂの外壁面３に幅広に面接触する当て板である。この当て板２０の形状は、左右方向ないし上下方向が幅広であれば、円形、菱形、矩形、花形など形状は特に問わない。本実施例では、中間部が幅広矩形状であるが、全体として「王字型のイメーシが彷彿される形状」をしている。そこで、当て板２０に部分名称を付すると、２１はＴ字型状の上方当り部、２２は矩形状中央当り部、２３は逆Ｔ字型状の下方当り部である。
【００１１】
しかして、前記上方当り部２１には、後述する壁面変形阻止部材取付け用の孔２５が形成されている。また前記矩形状中央当り部２２には、シリンダー部材１０の駆動軸１３が貫通する基準孔２６が形成されている。そして、この基準孔２６を基準として対角線方向に、合計２個の締付け具用貫通小孔２７が形成されている。
【００１２】
２８は前記貫通小孔２７を通してシリンダー部材１０のメネジ１６と螺合する複数本の締付け具（オネジ）である。この締付け具２８は、本実施例では、錠構成部品１０と当て板２０とを一体的に結合し、かつ錠構成部品１０を一側壁１ａの外壁面３へと引き寄せる機能を有する。
【００１３】
次に壁面変形阻止部材３０について説明する。この壁面変形阻止部材３０は、本実施例では、当て板２０に取付け孔２５を介し、かつ、該当て板２０に直交状態に固定される。図３は壁面変形阻止部材３０を他側壁１ｂの内壁面４側から見た説明図である。しかして、壁面変形阻止部材３０は、皿状の頭部をするオネジ３１と、このオネジ３１に螺合する間隔調整用螺合体３２と、この螺合体３２の位置を固定することができるようにオネジ３１に螺合する第１ナット３３と、同じくオネジ３１に螺合して該オネジ３１を当て板２０に固定する第２ナット３４とから成る。前記螺合体３２は、パイプ状に形成され、図１で示すように内部空間２の間隔Ｌよりも短く設定されている。
【００１４】
上記構成に於いて、図５はドア１に錠構成部品１０を固定する前の状態を示す。また図１はドア１に錠構成部品１０を固定した後の状態を示す。錠構成部品１０をドア１に固定する時は、まず、図５で示すようにシリンダー部材１０を一側壁１ａの嵌合孔５に差し込むようにする。一方、当て板２０をドア１の他側壁１ｂにあてがうようにする。この時、予め壁面変形阻止部材３０を当て板２０に固定する。そこで、当て板２０をドア１の他側壁１ｂにぴったりと面接触させるために、壁面変形阻止部材３０の螺合体３２を他側壁１ｂの垂直切欠部７に通す。
ドア１に錠構成部品１０を固定するためには、二本の締付け具２８を当て板２０の貫通小孔２７にそれぞれ通し、かつ、シリンダー部材１０のメネジ１６に螺合させる必要がある。そこで、図示しないドライバーを利用して締付け具２８を締付ける。二本の締付け具２８を締付けると、図１で示すようにシリンダー部材１０は当て板２０を介して締付け具２８により引っ張られ、矢印Ａ方向へ移動し、やがて、ストッパー部材１５の内端部１５ｂの端面が外壁面３に当接する。
【００１５】
しかして、今、この時締付け具２８をさらに強く締付けたと仮定する。当て板２０や壁面変形阻止部材３０が存在しない場合には、錠構成部品１０側のストッパー部材１５と時締付け具２８の頭部２８ａとによってサンドイッチ状態になっているドア１の両壁面１ａ，１ｂには、当然、局部的に強い押圧力が作用する。
したがって、ドア１の外壁面３，３から局部的に内部空間２方向に圧力が加わると、その箇所が変形（撓む、潰れる）する恐れがあるが、この時、時締付け具２８の頭部２８ａの強い押圧力は当て板２０を介して他側壁１ｂに加わり、一方、前記ストッパー部材１５の強い押圧力は、壁面変形阻止部材３０の螺合体３２の端面を介して受け止められるので、ドア１の両壁面１ａ，１ｂは変形しない。
【００１６】
なお、本実施例では、壁面変形阻止部材３０の長さを調整できることが一つの特徴点でもあるが、このような実施例の場合、予めドア１の内部空間２の間隔Ｌに合わせて螺合体３２を調整してもいいし、或いは錠構成部品１０を一側壁１ａの嵌合孔５に差し込む前に、該嵌合孔５から指、工具などを入れて螺合体３２を調整し、該螺合体３２の位置が決まったら、適宜に第１ナット３３を締付ける。
【００１７】
【実施例】
次に、この欄では第１実施例の変形例を、第２実施例、第３実施例、第４実施例として説明する。なお、これらの変形例の説明にあたって、第１実施例と同一又は同様（機能が同一）の部分には、同一又は同様の符号を付し、重複する説明を省略する。
【００１８】
図６に示す第２実施例に於いて、第１実施例と主に異なる点は、錠構成部品１０Ａである。この錠構成部品１０Ａの外筒体１１Ａとストッパー部材１５Ａとが別体ではなく、一体に形成されている。したがって、締付け具２８を締付けると、錠構成部品１０Ａの外筒体１１Ａのフランジ部（ストッパー部）１５Ａの端面が一側壁１ａの外壁面３に圧接する。なお、第１実施例のストッパー部材１５もそうであるが、ストッパー部材１５Ａの端面形状は必ずしも円形である必要はなく、例えば「＋」形状や花模様形状であっても良い。
【００１９】
図７及び図８に示す第３実施例に於いて、第１実施例と主に異なる点は、錠構成部品１０Ｂと、締付け具２８Ｂである。
【００２０】
すなわち、第１実施例では、錠構成部品１０を一側壁１ａの外壁面３に圧接するように引き寄せる部分ないし部材として、錠構成部品１０の後端部に形成されたメネジ１６と、このメネジ１６に螺合するように当て板２０の貫通小孔２７に貫入された締付け具２８であるが、この第２実施例では、錠構成部品１０Ｂを前記外壁面３に圧接するように引き寄せる部材として、錠構成部品１０Ｂの後端部に固定された二本の螺杆４０と、これらの螺杆にそれぞれ螺合するナット４１とから成る。したがって、締付け具２８Ｂは錠構成部品１０Ｂ側の螺杆４０と当て板２０側のナット４１とから成る。
【００２１】
上記構成に於いて、錠構成部品１０Ｂをドア１に固定する時は、まず、図７で示すようにシリンダー部材１０Ａを一側壁１ａの嵌合孔５に差し込むと、外筒体１１Ｂの後端部から平行に延設する二本の螺杆４０が当て板２０の貫通小孔２７，２７を貫通するので、各螺杆４０の貫通端部にナット４１を取付け、かつ締めれば良い。このように構成しても、第１実施例同一の目的を達成することができる。
【００２２】
図９及び図１０に示す第４実施例に於いて、第１実施例と主に異なる点は、壁面変形阻止部材３０Ｃである。この壁面変形阻止部材３０Ｃは、第１実施例のそれとは逆の発想に設計変更した例である。すなわち、３２Ｃは当て板２０Ｃの内壁面に直交状態に固定されたメネジを有する固定螺合体、３１Ｃは固定螺合体３２Ｃに螺合する位置調整用オネジである。なお、３３Ｃは第１ナット、３１ｃは前記オネジの頭部である。締付け具２８を締付けると、オネジの頭部３１ｃが一側壁１ａの内壁面４に圧接する。このように構成しても、第１実施例同一の目的を達成することができる。
【００２３】
【発明の効果】
以上の説明から明らかなように、本発明にあっては、次に列挙するような効果がある。
（１）錠構成部品を建具に締付け具を介して固定する時に、仮に建具の外壁面に強い内部方向の力が作用しても壁面が容易に変形（撓む、潰れるなど）しない。
（２）実施例によっては、ドアの内部空間の間隔に対応して錠構成部品を建具の壁面に確実に固定することができる。
（３）構成する部品点数を少ないので、壁面に簡単に固定することができる。
【図面の簡単な説明】
図１乃至図５は本発明の第１実施例を示す各説明図。図６乃至図１０は本発明の幾つかの変形例を示す各説明図。
【図１】第１実施例の概略断面説明図。
【図２】分解斜視図。
【図３】要部の斜視図。
【図４】要部を一側面から見た説明図。
【図５】錠構成部品を建具に固定する時の概略説明図。
【図６】第２実施例の概略断面説明図。
【図７】第３実施例の概略断面説明図。
【図８】錠構成部品の斜視図。
【図９】第４実施例の概略断面説明図。
【図１０】要部の斜視図。
【符号の説明】
１…ドア、１ａ…一側壁、１ｂ…他側壁、２…内部空間、３…ドアの外壁面、４…ドアの内壁面、５…嵌合孔、６…貫通孔、７…垂直切欠部、９…、１０，１０Ａ，１０Ｂ…錠構成部品、１１，１１Ａ，１１Ｂ…外筒体、１１ａ…鍔部、１２…シリンダー本体、１３…駆動軸、１４…カバー体、１５，１５Ａ…ストッパー部材、１６…メネジ、２０…当て板、２１…上方当り部、２２…中央当り部、２３…下方当り部、２５…取付け孔、２６…基準孔、２７…貫通小孔、２８，２８Ｂ…締付け具、３０，３０Ｃ…壁面変形阻止部材、３１，３１Ｃ…オネジ、３１ｃ…頭部、３２，３２Ｃ…螺合体、３３…第１ナット、３４…第２ナット、４０…螺杆、４１…ナット。Ａ…矢印、Ｌ…間隔。
【図１】
0004199947.tif 000002
【図２】
0004199947.tif 000003
【図３】
0004199947.tif 000004
【図４】
0004199947.tif 000005
【図５】
0004199947.tif 000006
【図６】
0004199947.tif 000007
【図７】
0004199947.tif 000008
【図８】
0004199947.tif 000009
【図９】
0004199947.tif 000010
【図１０】
0004199947.tif 000011